(57)【要約】【課題】長尺樹脂フィルムの両面に形成された膜を傷付けることなく、長手方向に略一定の長さでかつ簡便に切断する切断方法及び切断装置を提供する。【解決手段】押さえローラー８を通過したフィルムＦが下部ペーパーＳ１に重畳されて固定される。上部ペーパーＳ２はフィルムＦの上に重畳されるように押さえローラー８を通過する。押さえクランプ２ａ，２ｂの挟持が解除され、押さえローラー８を通過した上部パーパーＳ２はフィルムＦに重畳されて押さえクランプ２ａ，２ｂで固定される。押さえクランプ２ａ，２ｂは解除され、送り出しクランプ３ｃ，３ｄで重畳シートＬの幅方向の両端部が挟持されて切断手段７よりも搬送方向Ｈの前方に重畳シートＬを送り出し、押さえクランプ２ａ，２ｂで挟持され、送り出しクランプ３ｃ，３ｄは解除される。押さえクランプ２ａ，２ｂで押さえられた状態の重畳シートＬがカッターの刃１３でその幅方向に切断される。【選択図】図１
2010264535.tif 000002
【特許請求の範囲】
【請求項１】
長尺樹脂フィルムをカッターでその幅方向に切断する長尺樹脂フィルムの切断方法において、
前記長尺樹脂フィルムの幅と略等しい幅をもつ下部長尺保護シート及び上部長尺保護シートで該長尺樹脂フィルムの両面を覆って重畳シートを形成し、
該重畳シートをその長手方向に所定距離だけ移動して固定しておき、前記カッターの刃でその幅方向に切断することを特徴とする長尺樹脂フィルムの切断方法。
【請求項２】
前記重畳シートをその長手方向に所定距離だけ移動して固定しておく際に、前記カッターよりも移動方向上流側に配置された送り出しクランプで前記重畳シートの幅方向両端部を挟持しながら移動方向下流側に移動させて固定しておくことを特徴とする請求項２に記載の長尺樹脂フィルムの切断方法。
【請求項３】
前記長尺樹脂フィルムは、その両面の幅方向両端部を除いた部分に成膜された両面膜付長尺樹脂フィルムであることを特徴とする請求項１又は２に記載の長尺樹脂フィルム切断方法。
【請求項４】
長尺樹脂フィルムをカッターでその幅方向に切断する長尺樹脂フィルムの切断装置において、
前記長尺樹脂フィルムの幅と略等しい幅をもつ下部長尺保護シート及び上部長尺保護シートで該長尺樹脂フィルムの両面を覆って重畳シートを形成する重畳手段と、
該重畳シートをその長手方向に所定距離だけ移動して固定しておく搬送手段と、
該固定された重畳シートをその幅方向に前記カッターの刃で切断する切断手段とを備えたことを特徴とする長尺樹脂フィルムの切断装置。
【請求項５】
前記長尺樹脂フィルムは、その両面の幅方向両端部を除いた部分に成膜された両面膜付長尺樹脂フィルムであることを特徴とする請求項４に記載の長尺樹脂フィルムの切断装置。
【請求項６】
前記重畳手段は、
前記長尺樹脂フィルムが巻き回されて、外周の一端から順次に所定の搬送方向に送り出されるフィルムローラーと、
該フィルムローラーよりも前記搬送方向上流側に配置された、前記長尺樹脂フィルムの下面を覆って保護する下部ペーパーが巻き回された下部ペーパーローラーと、
該フィルムローラーよりも前記搬送方向下流側に配置された、前記長尺樹脂フィルムの上面を覆って保護する上部ペーパーが巻き回された上部ペーパーローラーと、
該上部ペーパーローラーよりも前記搬送方向下流側に配置された、前記下部ペーパーと前記長尺樹脂フィルムと前記上部ペーパーが下からこの順に重ねられた重畳フィルムを上から押えて形成する押さえローラーとを備えたものであることを特徴とする請求項５に記載の長尺樹脂フィルムの切断装置。
【請求項７】
前記押さえローラーが前記重畳フィルムを上から押さえる位置は、
前記下部ペーパーローラーから前記下部ペーパーが離れて送り出される第１位置よりも低く、この第１位置は、
前記フィルムローラーから前記フィルムが離れて送り出される第２位置よりも低く、この第２位置は、
前記上部ペーパーローラーから前記上部ペーパーが離れて送り出される第３位置よりも低いことを特徴とする請求項５又は６に記載の切断装置。
【請求項８】
前記搬送手段は、
前記押さえローラーよりも前記搬送方向下流側に配置されて前記搬送方向に延びる軌道と、
前記押さえローラーで形成された前記重畳フィルムの幅方向両端部を挟持した状態で前記軌道に案内されて所定範囲内で移動する送り出しクランプと、
該送り出しクランプよりも前記搬送方向下流側に固定された、前記重畳フィルムの幅方向両端部を挟持しておく押さえクランプと、
該押さえクランプの移動を禁止するブロックとを備えたものであることを特徴とする請求項４から７までのうちのいずれか一項に記載の切断装置。
【請求項９】
前記軌道は、
前記ブロックを固定する複数の穴が形成されたものであることを特徴とする請求項８に記載の切断装置。
【請求項１０】
前記切断装置のカッターは、
前記押さえクランプで挟持された重畳フィルムをその幅方向に回転しながら切断するロータリーカッターであることを特徴とする請求項４から９までのうちのいずれか一項に記載の切断装置。
【発明の詳細な説明】
【技術分野】
【０００１】
本発明は、長尺樹脂フィルムの表面に傷を付けずに所定場所まで搬送して所定の大きさに切断する長尺樹脂フィルムの切断方法及び切断装置に関する。
【背景技術】
【０００２】
フレキシブル性を有する樹脂フィルムは容易に加工できるので、その表面に酸化物誘電体膜や金属膜を形成することにより電子部品や光学部品、包装材料などとして広く産業界で用いられている。例えば、光学部品では、樹脂フィルムの両面に酸化物誘電体膜と金属膜の多層膜を設けた吸収型多層膜ＮＤ（Ｎｅｕｔｒａｌ  Ｄｅｎｓｉｔｙ  Ｆｉｌｔｅｒ）フィルターがデジタルカメラやカメラ付携帯電話等で多く用いられるようになってきている。上述の樹脂フィルムの両面に酸化物誘電体膜と金属膜の多層膜を成膜するためには、樹脂フィルムに酸化物誘電体膜や金属膜をスパッタリング法などで成膜する。さらに、ローラー・ツー・ローラー・スパッタリング成膜装置等を用いた場合は、長尺樹脂フィルムに多層膜を成膜した両面膜付長尺樹脂フィルムが得られる。
【０００３】
特許文献１には、生産性に優れた吸収型多層膜ＮＤフィルターチップと吸収型多層膜ＮＤフィルター付き絞り羽根の製造方法、並びに、吸収型多層膜ＮＤフィルターチップを絞り羽根材に接合する吸収型多層膜ＮＤフィルターチップの接合方法を提供することを目的として、吸収型多層膜ＮＤフィルターをプレス切断する際の切断ライン部分若しくは絞り羽根材との接合部位となる部分の少なくとも一方の吸収型多層膜をレーザースクライビング法により除去する製造方法が記載されている。しかし、特許文献１では、吸収型多層膜ＮＤフィルターチップに切断する打ち抜き技術はあるが、両面膜付長尺フィルムの一種である長尺状の吸収型多層膜ＮＤフィルターを切断する技術は開示されていない。
【０００４】
特許文献２には、長尺な上面積層フィルムと長尺な下面積層フィルムで被積層物を挟みラミネータ装置で積層成形して後続のフィルムを切り離すための切断装置の発明が開示されている。また、特許文献２では、フィルムの位置ズレを防止し、切断することを目的として固定された第１のクランプと、第２のクランプとの間に配設した切断用定規とをフィルムに密着させることにより前記フィルムを固定して前記フィルムを切断する方法が開示されている。しかし、特許文献２では、ラミネータ装置で上面積層フィルムと下面積層フィルムで被積層物を挟みラミネータ装置で積層成形した後に第１のクランプと第２のクランプとの断用定規をフィルムに密着させ切断しているので切断時のズレは生じないが、ラミネータ装置で固着積層成形された物を対象としており、保護シートを固着することなく覆っただけの重畳シートの切断時のズレは検討されていない。
【先行技術文献】
【特許文献】
【０００５】
【特許文献１】特開２００８−２５７０９９号公報
【特許文献２】特開２００１−２５２８９１号公報
【発明の概要】
【発明が解決しようとする課題】
【０００６】
本発明は、上記事情に鑑み、長尺樹脂フィルムの両面に形成された膜に傷をつけることなく、長手方向に略一定の長さでかつ簡便に切断する長尺樹脂フィルムの切断方法及び切断装置を提供することを目的とする。
【課題を解決するための手段】
【０００７】
上記目的を達成するための本発明の長尺樹脂フィルムの切断方法は、長尺樹脂フィルムをカッターの刃でその幅方向に切断する長尺樹脂フィルムの切断方法において、
（１）前記長尺樹脂フィルムの幅と略等しい幅をもつ下部長尺保護シート及び上部長尺保護シートで該長尺樹脂フィルムの両面を覆って重畳シートを形成し、
（２）該重畳シートをその長手方向に所定距離だけ移動して固定しておき、前記カッターでその幅方向に切断することを特徴とするものである。
【０００８】
ここで、
（３）前記重畳シートをその長手方向に所定距離だけ移動して固定しておく際に、前記カッターよりも移動方向上流側に配置された送り出しクランプで前記重畳シートの幅方向両端部を挟持しながら移動方向下流側に移動させて固定しておいてもよい。
【０００９】
また、
（４）前記長尺樹脂フィルムは、その両面の幅方向両端部を除いた部分に成膜された両面膜付長尺樹脂フィルムであってもよい。
【００１０】
また、上記目的を達成するための本発明の長尺樹脂フィルムの切断装置は、長尺樹脂フィルムをカッターでその幅方向に切断する長尺樹脂フィルムの切断装置において、
（５）前記長尺樹脂フィルムの幅と略等しい幅をもつ下部長尺保護シート及び上部長尺保護シートで該長尺樹脂フィルムの両面を覆って重畳シートを形成する重畳手段と、
（６）該重畳シートをその長手方向に所定距離だけ移動して固定しておく搬送手段と、
（７）該固定された重畳シートをその幅方向に前記カッターの刃で切断する切断手段とを備えたことを特徴とするものである。
【００１１】
ここで、
（８）前記長尺樹脂フィルムは、その両面の幅方向両端部を除いた部分に成膜された両面膜付長尺樹脂フィルムであってもよい。
【００１２】
また、
（９）前記重畳手段は、
（９−１）前記長尺樹脂フィルムが巻き回されて、外周の一端から順次に所定の搬送方向に送り出されるフィルムローラーと、
（９―２）該フィルムローラーよりも前記搬送方向上流側に配置された、前記長尺樹脂フィルムの下面を覆って保護する下部ペーパーが巻き回された下部ペーパーローラーと、
（９―３）該フィルムローラーよりも前記搬送方向下流側に配置された、前記長尺樹脂フィルムの上面を覆って保護する上部ペーパーが巻き回された上部ペーパーローラーと、
（９―４）該上部ペーパーローラーよりも前記搬送方向下流側に配置された、前記下部ペーパーと前記長尺樹脂フィルムと前記上部ペーパーが下からこの順に重ねられた重畳フィルムを上から押えて形成する押さえローラーとを備えてもよい。
【００１３】
さらに、
（１０）前記押さえローラーが前記重畳フィルムを上から押さえる位置は、
（１０−１）前記下部ペーパーローラーから前記下部ペーパーが離れて送り出される第１位置よりも低く、この第１位置は、
（１０―２）前記フィルムローラーから前記フィルムが離れて送り出される第２位置よりも低く、この第２位置は、
（１０―３）前記上部ペーパーローラーから前記上部ペーパーが離れて送り出される第３位置よりも低くてもよい。
【００１４】
さらにまた、前記搬送手段は、
（１１）前記押さえローラーよりも前記搬送方向下流側に配置されて前記搬送方向に延びる軌道と、
（１２）前記押さえローラーで形成された前記重畳フィルムの幅方向両端部を挟持した状態で前記軌道に案内されて所定範囲内で移動する送り出しクランプと、
（１３）該送り出しクランプよりも前記搬送方向下流側に固定された、前記重畳フィルムの幅方向両端部を挟持しておく押さえクランプと、
（１４）該押さえクランプの移動を禁止するブロックとを備えたものであってもよい。
【００１５】
さらにまた、前記軌道は、
（１５）前記ブロックを固定する複数の穴が形成されたものであってもよい。
【００１６】
さらにまた、
（１６）前記切断装置のカッターは、前記押さえクランプで挟持された重畳フィルムをその幅方向に回転しながら切断するロータリーカッターであってもよい。
【発明の効果】
【００１７】
本発明の長尺樹脂フィルムの切断方法によれば、長尺樹脂フィルムの幅と略等しい幅をもつ下部長尺保護シート及び上部長尺保護シートで長尺樹脂フィルムの両面を覆って重畳シートを形成し、重畳シートをその長手方向に所定距離だけ移動して固定しておき、カッターでその幅方向に切断するので、長尺樹脂フィルムの両面の膜に傷をつけることなく、長手方向に略一定の長さで且つ簡便に切断することができる。このため、長尺樹脂フィルム基板と、この長尺樹脂フィルム基板の少なくとも片面に酸化物誘電体膜と金属膜を交互に積層させて成る吸収型多層膜ＮＤフィルター付長尺樹脂フィルムを製造しても、簡便に切断できるので、吸収型多層膜ＮＤフィルターの生産性に寄与できる。
【００１８】
また、本発明の長尺樹脂フィルムの切断装置によれば、重畳手段によって、長尺樹脂フィルムの幅と略等しい幅をもつ下部長尺保護シート及び上部長尺保護シートで該長尺樹脂フィルムの両面を覆って重畳シートを形成し、搬送手段によって、重畳シートをその長手方向に所定距離だけ移動して固定しておき、切断手段によって、固定された重畳シートをその幅方向に前記カッターの刃で切断するので、長尺樹脂フィルムの両面の膜に傷をつけることなく、長手方向に略一定の長さで且つ簡便に切断することができる。このため、長尺樹脂フィルム基板と、この長尺樹脂フィルム基板の少なくとも片面に酸化物誘電体膜と金属膜を交互に積層させて成る吸収型多層膜ＮＤフィルター付長尺樹脂フィルムを製造しても、簡便に切断できるので、吸収型多層膜ＮＤフィルターの生産性に寄与できる。
【図面の簡単な説明】
【００１９】
【図１】本発明の長尺樹脂フィルム切断装置の概略構成を示す側面図である。
【図２】本発明の切断装置のクランプを示す平面図である。
【図３】本発明の切断装置の重畳手段を構成する部材を示す側面図である。
【図４】切断装置の切断手段を示す正面図である。
【図５】本発明の長尺樹脂フィルム切断方法の手順を示すフローチャートである。
【発明を実施するための形態】
【００２０】
本発明を実施する装置の一例を説明する。図１は本発明の両面膜付長尺樹脂フィルムの切断方法を具体化する切断装置１の側面概略図である。図２は、切断装置１の押さえクランプ２ａ及び押さえクランプ２ｂ並びに送り出しクランプ３ｃ及び送り出しクランプ４ｄとの関係を示す上面概略図である。図３は、両面膜付長尺樹脂フィルムの送り出し方法との関係を示す側面概略図である。
【実施例１】
【００２１】
＜切断装置１＞
【００２２】
本発明の両面膜付長尺樹脂フィルムの切断方法を具体化した装置が切断装置１である。切断装置１の概略を説明する。切断装置１は、下部長尺保護シート（以下、下部ペーパーＳ１と呼ぶ）と両面膜付長尺樹脂フィルムＦ（以下、フィルムＦと呼ぶ）と上部長尺保護シートＳ２（以下、上部ペーパーＳ２と呼ぶ）を重畳させて重畳シートを形成する重畳手段と、重畳シートを搬送する搬送手段と、重畳シートを切断するシート切断手段を備える。
切断装置１は、送り出しクランプ３ｃ及び送り出しクランプ３ｄにより重畳シートを挟持し、送り出しクランプ３ｃ及び送り出しクランプ３ｄが重畳フィルムＦの長手方向に配置された軌道（ガイドレール）上を重畳手段から切断手段への方向に移動することで、重畳フィルムＬを切断手段より前に送り出す。切断手段より前に重畳フィルムＬが送り出される際に、ステージ６での接触は下部ペーパーＳ１で保護されているので、フィルムＦの傷発生を防止できる。また、上部ペーパーＳ２はフィルムＦ表面の欠陥（埃の付着など）発生を防止できる。
次に、切断装置１の各構成を詳細に説明する。
＜フィルムＦの切断手順＞
本発明の両面膜付長尺樹脂フィルムの切断方法を切断装置１の操作手順で説明する。切断装置１の操作手順は、両面膜付長尺樹脂フィルムＦ（以下、フィルムＦと呼ぶ）と幅が略等しくフィルムＦを保護する下部長尺保護シート（以下、下部ペーパーＳ１と呼ぶ）を下部ペーパーローラー１０から送り出し（引き出し）、押さえローラー８を通過し押さえクランプ２ａ及び２ｂで固定する。次に、フィルムＦをフィルムローラー９から送り出し（引き出し）、下部ペーパーＳ１の上に重ねるように置き、押さえローラー８を通り押さえクランプ２ａ及び２ｂで下部ペーパーＳ１と一緒に固定する。次に、フィルムＦと幅が略等しくフィルムＦを保護する上部長尺保護シートＳ２（以下、上部ペーパーＳ２と呼ぶ）を上部ペーパーローラー１２から送り出し（引き出し）、フィルムＦの上に積層されるように押さえローラー８を通過させ押さえクランプ２ａ及び２ｂで下部ペーパーＳ１、フィルムＦと一緒に固定して重畳シートＬを形成する。押さえクランプ２ａ及び２ｂは、下部ペーパーＳ１、フィルムＦ、上部ペーパーＳ２の幅方向両端部を挟持してこれらを固定する。
【００２３】
続いて、送り出しクランプ３ｃ及び３ｄを押さえローラー８側に移動させ、その後、重畳シートＬを固定し、押さえクランプ２ａ及び２ｂの固定を解除する。重畳シートＬは、送り出しクランプ３ｃ及び３ｄで挟持され、送り出しクランプ３ｃ及び３ｄが軌道（ガイドレール）１９上を移動することにより、送り出しクランプ３ｃ及び３ｄが移動した長さ分だけ切断出段７より前に送り出される。重畳シートＬは、切断手段７のカッターの刃で幅方向に切断される。
【００２４】
本発明の両面膜付長尺フィルム切断装置１は、下部ペーパーＳ１、フィルムＦ、上部ペーパーＳ２を重畳する際には押さえクランプ２ａ及び２ｂで固定されて押さえローラー８で押さえ、フィルムＦ等が重畳された重畳シートＬを搬送する際は送り出しクランプ３ｃ及び３ｄと押さえローラー８で押さえ、切断される際は押さえクランプ２ａ及び２ｂで押さえているので、フィルムＦと下部ペーパーＳ１、上部ペーパーＳ２及びフィルムＦの位置ズレが重畳、搬送、切断のいずれの工程でも生じない。
【００２５】
また、本発明の切断装置１は、送り出しクランプ３ｃ及び送り出しクランプ３ｄによって重畳シートＬを固定しておき、押さえクランプ２ａ及び押さえクランプ２ｂの固定を解除し、送り出しクランプ３ｃ及び送り出しクランプ３ｄで挟持された状態で長手方向へ送り出すことにより、ステージ６との接触は下部ペーパーＳ１で保護されているので、フィルムＦの傷発生を防止する構造になっている。また、上部ペーパーＳ２はフィルムＦ表面の欠陥（埃の付着など）発生を防止する。
＜重畳手段（フィルムの保護）＞
【００２６】
次に、重畳手段２を説明する。重畳手段２は、下部ペーパーＳ１が巻かれてその外周の一端からそれを順に送り出す下部ペーパーローラー１０と、上部ペーパーＳ２が巻かれてその外周の一端からそれを順に送り出す上部ペーパーローラー１２と、フィルムＦが巻かれてその外周の一端からそれを順に送り出すフィルムローラー９と、下から順に重畳された下部ペーパーＳ１、フィルムＦ、上部ペーパーＳ２を上から押える押さえローラー８とから構成されている。下部ペーパーＳ１の幅は、フィルムＦの幅と略同じであり、フィルムＦの幅よりもやや広い方が好ましい。上部ペーパＳ２の幅も、フィルムＦの幅と略同じであり、フィルムＦの幅よりもやや広い方が好ましい。下部ペーパーＳ１は、フィルムＦ１の下面を覆ってこの下面を保護するためのものであり、上部ペーパーＳ２は、フィルムＦ１の上面を覆ってこの上面を保護するためのものである。
【００２７】
押さえローラー８は自重で下部ペーパーＳ１、フィルムＦ、上部ペーパーＳ２を押さえる。
【００２８】
押さえローラー８の構成の具体例を挙げると、押さえローラー８は、前記円筒状のローラー本体と軸支された芯で構成される。押さえローラー８の外周面すなわち前記円筒状のローラー本体のフィルムＦと接触する外周面には、下部ペーパーＳ１と同じ材質の保護シートが巻かれている。押さえローラー８の外周面に下部ペーパーＳ１と同じ材質の保護シートを巻くことにより、フィルムＦを重ねる際に押さえローラーにフィルムＦが接触しても、フィルムＦが傷付くことがない。
【００２９】
また、押さえローラー８の表面に下部ペーパーＳ１と同じ材質の保護シートを巻いて固定するには、円筒状のローラー本体に下部ペーパーＳ１を巻きつけて、巻きつけた下部ペーパーＳ１のうち押さえローラー８軸方向の両端部に粘着テープを付して押さえローラー８本体の内壁に貼り付ければよい。フィルムＦとの接触部分には粘着テープが無いようにすれば、フィルムＦを傷つけることは無く、巻きつけた下部ペーパーＳ１の段差（８０μｍ）では、フィルムＦに問題は生じない。なお、前記円筒状のローラー本体に下部ペーパーＳ１と同じ材質の保護シートを取り付けるには、粘着テープの他にクリップなども使用可能であるが、クリップなどがフィルムＦに接触し、傷防止のために避けることに留意する。
【００３０】
フィルムＦを鋏などで切断すると、切断部分にクラックが発生し、膜が剥がれる恐れもある。フィルムＦの膜にもよるが、鋏で切断するように急角度に押さえてねじ曲げられるような力や、一般事務用カッターナイフで切断する場合にように刃でフィルムＦを急角度に曲げて押し退ける力にはもろい場合もある。
【００３１】
本発明では、ロータリーカッターを用いているのでフィルムＦを急角度に曲げることなく切断できるので、切断部分にクラックを生じることはない。
【００３２】
フィルムＦ等の重畳について説明する。
【００３３】
下部ペーパーローラー１０からは下部ペーパーＳ１を下出しで送り出し、上部ペーパーローラー１２からは上部ペーパーＳ２を上出しで送り出し、フィルムローラー９からはフィルムＦを上出しで送り出す。図１に示すように押さえローラー８を通過した下部ペーパーＳ１、フィルムＦ、上部ペーパーＳ２は重畳されて重畳シートＬが形成される。押さえローラー８が重畳シートＬを押さえる位置（高さ）は、押さえクランプ２ａ及び押さえクランプ２ｂで重畳シートＬを押さえる位置（高さ）を基準とすれば下にあり、下部ペーパーローラー１０とフィルムローラー９と上部ペーパーローラー１２は、重畳シートＬを押さえる位置を基準とすれば上にある。すなわち、押さえローラー８が重畳シートＬを押える押さえ位置と、切断前のフィルムＦのフィルムローラー９の送り出し位置が、押さえクランプ２ａ，２ｂに押さえられた重畳シートＬの位置を中心に上下に異なる位置関係にある。図１に示すように、押さえローラー８を通過した重畳シートＬは、その幅方向の端部が押さえクランプ２ａ及び２ｂによって固定されている。重畳の手順は、下部ペーパーＳ１を押さえクランプ２ａ及び２ｂで固定し、フィルムＦをフィルムローラー９から送り出して下部ペーパーＳ１の上に置き、押さえローラー８を通過させた後に、下部ペーパーＳ１を押さえている押さえクランプ２ａ及び２ｂの固定を解除し、押さえクランプ２ａ及び２ｂで下部ペーパーＳ１とフィルムＦを重畳された状態で一緒に固定し、上部ペーパーＳ２を上部ペーパーローラー１２から送り出してフィルムＦの上を覆うように、押さえローラー８を通過させて押さえクランプ２ａ及び２ｂの固定を解除した後に、下部ペーパーＳ１、フィルムＦと上部ペーパーＳ２を押さえクランプ２ａ及び２ｂで一緒に固定し、重畳シートＬとする。押さえクランプ２ａ及び２ｂによる下部ペーパーＳ１、フィルムＦ、上部ペーパーＳ２を固定と解除及び、下部ペーパーＳ１、フィルムＦ、上部ペーパーＳ２の重畳を行うことで、重畳の際に重畳シートＬのズレを防ぐ。
【００３４】
さらに、フィルムＦの幅方向の両端部には成膜されていないので、下部ペーパーＳ１、フィルムＦ、上部ペーパーＳ２で重畳された重畳シートＬが、押さえクランプ２ａ及び２ｂ、送り出しクランプ３ｃ及び３ｄで重畳シートの幅方向両端部を押さえられても、フィルムＦの両面の膜に損傷を与えることは無い。なお、フィルムＦの幅方向両端部に膜があったとしても、各クランプで押さえられる幅方向の両端を取り除いて使用すれば、最終製品の品質には影響しない。
＜搬送手段＞
次に、搬送手段３を説明する。図２は搬送手段の概略図であり、押さえクランプ２ａ及び押さえクランプ２ｂ並びに送り出しクランプ３ｃ及び送り出しクランプ３ｄ、ステージ６、軌道１９、ブロック５及びホール４の位置関係を示す。押さえクランプ２ａ及び押さえクランプ２ｂ並びに送り出しクランプ３ｃ及び送り出しクランプ３ｄは軌道１９上にあり軌道１９に案内されて移動する。軌道１９の長手方向両端には、押さえクランプ２ａ及び押さえクランプ２ｂ並びに送り出しクランプ３ｃ及び送り出しクランプ３ｄが軌道１９の両端から脱線（脱落）しないようにクランプ止１４が配置されている。押さえクランプ２ａ及び２ｂはブロック５ａ及び５ｂにより挟まれて軌道上において移動ができなくなっている。さらに、ブロック５ｂの位置を動かすことにより、送り出しクランプ３ｃ及び３ｄが軌道１９を移動できる範囲を制限することができる。すなわち、ブロック５ｂとクランプ止１４の間を送り出しクランプ３ｃ及び３ｄが移動することができる。送り出しクランプ３ｃ及び３ｄが移動できる距離が、重畳シートをその長手方向に移動できる所定距離である。軌道１９上には、ホール（穴）４が複数形成されており、このホール４にブロック５ｂの突起（図示せず）を挿し込むことにより送り出しクランプ３ｃ及び３ｄの移動範囲の制限を変更できる。尚、押さえローラー８の面（上部ペーパーＳ２に接触する外周面）は、ステージ６よりも低い位置にあることが望ましい。
＜切断手段＞
【００３５】
次に、切断手段７を説明する。切断手段７は、図１に示すように押さえクランプ２ａ及び押さえクランプ２ｂよりも前（重畳シートＬの搬送方向Ｈの前方（下流側））に配置されている。押さえクランプ２ａ及び押さえクランプ２ｂによって押さえられた重畳シートＬを切断手段７のカッターの刃１３（図４参照）を回転させながら重畳シートＬの幅方向Ｗに切断する。重畳シートＬの表面を上部ペーパーＳ２が覆っているので、切断で発生する欠陥を防ぐことができる。
【００３６】
図４は切断手段７を重畳シートＬの幅方向から見た概要図である。カッターの刃１３は、円盤状で円盤の縁に刃が形成されており、スライド台１７のカッター軸１５に軸支されて回転する（刃１３は、カッター軸１３に回転自在に固定されている）。スライド台１７は、スライド台の軌道（ガイドレール）１９上にて（に案内されて）重畳シートＬの幅方向（矢印Ｗ方向）に直線的にスライドする（移動する）。スライド台１４が重畳シートＬの幅方向にスライドすることにより、重畳シートＬが切断される。
＜切断のフローチャート＞
【００３７】
切断装置１を用いた本発明の切断方法の手順を図５に示すフローチャートを参照して説明する。先ず、最初にフィルムＦはフィルムローラー９（図１参照）に設置され（ステップ１）、下部ペーパーＳ１は下出し（下部ペーパーローラー１０は、図１において時計回り）で送り出され（ステップ２）、下部ペーパーＳ１は押さえローラー８を通過し押さえクランプ２ａ及び押さえクランプ２ｂによって固定され（ステップ３）、フィルムＦは上出し（フィルムローラー９は、図１において反時計回り）で送り出されて下部ペーパーＳ１の上に重ねられるように押さえローラー８を通過させられ（ステップ４）、押さえクランプ２ａ及び押さえクランプ２ｂの挟持が解除され（ステップ５）、押さえローラー８を通過したフィルムＦが押さえクランプ２ａ及び押さえクランプ２ｂによって下部ペーパーＳ１と重畳されて一緒に固定される（ステップ６）。さらに、上部ペーパーＳ２は下出しで送り出されてフィルムＦの上に重畳させるように押さえローラー８を通過させられる（ステップ７）。
【００３８】
続いて、押さえクランプ２ａ及び押さえクランプ２ｂの挟持が解除され（ステップ８）、押さえローラー８を通過した上部パーパーＳ２は下部ペーパーＳ１とフィルムＦと重畳されて押さえクランプ２ａ及び押さえクランプ２ｂによって一緒に固定される（ステップ９）。続いて、ブロック５ｂが軌道１９上のホール４に挿し込まれ（ステップ１０）、送り出しクランプ３ｃ及び３ｄが重畳シートＬを挟持し（ステップ１１）、押さえクランプ２ａ及び２ｂの挟持は解除され（ステップ１２）、送り出しクランプ３ｃ及び３ｄによって重畳シートＬの幅方向の両端部が挟持されて切断手段７よりも搬送方向Ｈの前方（下流側）に重畳シートＬを送り出し（ステップ１３）、押さえクランプ２ａ及び２ｂによって挟持して固定し（ステップ１４）、送り出しクランプ３ｃ及び３ｄの挟持は解除される（ステップ１５）。続いて、押さえクランプ２ａ及び２ｂによって押さえられた状態の重畳シートＬが切断手段７のカッターの刃１３でその幅方向に切断される（ステップ１６）。
【００３９】
従って、本発明の切断装置１では、送り出しクランプ３ｃ及び送り出しクランプ３ｄによって重畳シートＬを固定して送り出しクランプ３ｃ及び送り出しクランプ３ｄで挟持されて長手方向へ送り出すことにより、ステージ６との接触は下部ペーパーＳ１で保護されているので、フィルムＦの傷発生を防止することができる。また、上部ペーパーＳ２はフィルムＦの表面（上面）の欠陥（埃の付着など）発生を防止することができる。
【００４０】
さらに本発明の切断装置１では、送り出しクランプ３ｃ及び送り出しクランプ３ｄによって送り出され、押さえクランプ２ａ及び押さえクランプ２ｂによって押さえられ、切断部７のカッターの刃でフィルムＦを幅方向に切断する構造になっている。また、フィルムＦの表面には上部ペーパーＳ２が積層されており、切断で発生する欠陥を防ぐことができる。
＜フィルムＦ（両面膜付長尺フィルム）＞
【００４１】
本発明の切断装置で切断するフィルムＦについての一例として吸収型多層膜ＮＤフィルターの膜構造について説明する。
【００４２】
本発明の切断装置で切断する吸収型多層膜ＮＤフィルターは、長尺樹脂フィルム基板と、この長尺樹脂フィルム基板の少なくとも片面に酸化物誘電体膜と金属膜を交互に積層させて成る吸収型多層膜とで構成されている。
【００４３】
また、上記酸化物誘電体膜としては、ＳｉＯ２、Ａｌ２Ｏ３から選ばれる１種類以上の膜が例示され、上記金属膜としては、Ｎｉ、Ｔｉ、Ｎｂ、Ｔａ、Ｃｒから選ばれる単体膜若しくはこれらを主成分とする合金膜が例示されている。
【００４４】
また、上記吸収型多層膜ＮＤフィルター以外に、金属等の薄膜を設けた遮光膜や、長尺樹脂フィルム基板上にＩＴＯ（インジウムチンオキシド）等の透明導電膜を形成する透明導電膜付樹脂フィルム等が挙げられ、上記長尺樹脂フィルムに積層させて成るものであれば良い。
【００４５】
また、上記長尺樹脂フィルム基板を構成する樹脂フィルムとして、ポリエチレンテレフタレート（ＰＥＴ）、ポリエーテルスルフォン（ＰＥＳ）、ポリアリレート（ＰＡＲ）、ポリカーボネート（ＰＣ）、ポリオレフィン（ＰＯ）およびノルボルネンの樹脂材料から選択された樹脂フィルムの単体、あるいは、上記樹脂材料から選択された樹脂フィルム単体とこの単体の片面または両面を覆うアクリル系有機膜との複合体が挙げられる。
＜上、下部長尺保護シート＞
【００４６】
本発明に係る保護シート（上、下部長尺保護シート、上部ペーパーＳ２、下部ペーパーＳ１）は、外部からの欠陥を防ぐだけでなくフィルムＦの上下に積層させなくてはならないため、保護シートがフィルムＦに接触したときにフィルムＦの上面と下面に傷や欠陥が付着してはならない。そのため、上記保護シートには、埃の転写等が起こらないものであることが好ましく、低発塵で且つ平坦性を有する無塵紙が好ましい。例えば、繊維の脱落を防止するアクリル系の樹脂を含浸している無塵紙で、合成紙や再生可能なクリーンペーパーＲＣ（桜井株式会社製）などが使用できる。
【００４７】
上記無塵紙の中でも、繊維の脱落を防止するために樹脂を含浸している無塵紙が特に好ましい。低発塵の天然紙をベースにして特殊樹脂を含浸したタイプがより好ましく、アクリル系の樹脂を含浸しているタイプが更に好ましい。また、エンボス加工された無塵紙であっても良い。
【００４８】
また、上記無塵紙以外に、光学部品等に使用されるシート状の表面保護フィルム（総厚７０μｍ、ＰＥ）や上記長尺樹脂フィルム基板を構成する樹脂フィルムが挙げられる。さらに上記シート状の表面保護フィルムには、フィルムＦ面に微粘着層の跡が付着してしまうため、微粘着層が付着していないものが好ましい。
【符号の説明】
【００４９】
１  切断装置
２  重畳手段
３  搬送手段
Ｓ１  下部ペーパー（下部長尺保護シート）
Ｓ２  上部ペーパー（上部長尺保護シート）
２ａ  押さえクランプ（奥）
２ｂ  押さえクランプ（手前）
３ｃ  送り出しクランプ（奥）
３ｄ  送り出しクランプ（手前）
４  ホール
５ａ，５ｂ  ブロック
７  切断部
８  押さえローラー
１９  軌道
１４    クランプ止め
Ｆ  長尺樹脂フィルム
Ｌ      重畳シート
【図１】
2010264535.tif 000003
【図２】
2010264535.tif 000004
【図３】
2010264535.tif 000005
【図４】
2010264535.tif 000006
【図５】
2010264535.tif 000007